(57)【要約】【課題】水道管の蛇口に簡易に装着するだけで、金イオンを含むイオン水を簡便に生成できるイオン水生成器具を提供することである。【解決手段】水道管の蛇口に装着されるイオン水生成器具であり、ケース本体部２に金含有部材７とトルマリン８を収納し、水道水流出管４の外部に磁気発生手段５，５を設けている。ケース本体部２は、水道水流入口部２ｃを有する上部ケース部２ａと、水道水流出口部２ｄを有する下部ケース部２ｂからなっており、これら上部ケース部２ａと下部ケース部２ｂを固着した構成となっている。また、上部ケース部２ａの底部に通水性の金含有部材７を装着し、該金含有部材７の上部に前記トルマリン８を装填した構成となっている。【選択図】図３
2007283162.tif 000002
【特許請求の範囲】
【請求項１】
水道管の蛇口に装着されるイオン水生成器具であって、水道水の流路に金含有部材と、トルマリンと、磁気発生手段を設けたことを特徴とするイオン水生成器具。
【請求項２】
前記イオン水生成器具は、前記金含有部材とトルマリンを収納するケース本体部を有しており、該ケース本体部の水道水流出口側に前記磁気発生手段を設けたことを特徴とする請求項１に記載のイオン水生成器具。
【請求項３】
前記ケース本体部は、水道水流入口部を有する上部ケース部と、水道水流出口部を有する下部ケース部からなっており、これら上部ケース部と下部ケース部を固定するとともに、前記上部ケース部の底部に通水性の金含有部材を装着し、該金含有部材の上部に前記トルマリンを装填したことを特徴とする請求項２に記載のイオン水生成器具。
【請求項４】
前記下部ケース部の水道水流出部に水道水流出管を装着するとともに、該水道水流出管の外部に磁気発生手段を設けたことを特徴とする請求項３に記載のイオン水生成器具。
【請求項５】
前記金含有部材は、多数の孔を形成した金製板体であることを特徴とする請求項１〜４のいずれかに記載のイオン水生成器具。
【請求項６】
前記金含有部材は純金製であることを特徴とする請求項１〜５のいずれかに記載のイオン水生成器具。
【請求項７】
前記金含有部材は下地材に金箔を貼着したものであることを特徴とする請求項１〜５のいずれかに記載のイオン水生成器具。
【請求項８】
前記磁気発生手段は永久磁石であることを特徴とする請求項１〜７のいずれかに記載のイオン水生成器具。
【発明の詳細な説明】
【技術分野】
【０００１】
本発明は、水道管の蛇口に装着され、特に金イオンを含んだイオン水生成器具に関するものである。
【背景技術】
【０００２】
従来から、金（Ａｕ）の放出するイオンが、皮膚の新陳代謝機能を高め、人間の血液、リンパ液等を活性化させることは知られており、金含有の化粧料、飲料水等も市販されている。この金は、水（Ｈ2Ｏ）と直接反応しないため、一般には金箔、金粉の状態に加工して混入されている。しかし、金は非常に高価のものであり、金箔、金粉を多量に使用するため、コスト的にも高くなり、貴金属資源の無駄である。
【０００３】
また、金を王水（塩酸と硝酸の混合液）に溶解させた金溶解液を加熱して蒸発乾固化させ、その後、再度王水を加えた溶解液を再加熱して再蒸発乾固化させ、最終的に生成された析出物を精製水で溶解するようにした金イオン含有水溶液の製造方法も提案されている（特許文献１）。しかし、この方法は製造工程も複雑で大掛かりな製造装置が必要であり、熟練した製造技術が要求される。
【０００４】
【特許文献１】特開平２００４−１８２５００号公報
【発明の開示】
【発明が解決しようとする課題】
【０００５】
本発明は、水道管の蛇口に簡易に装着するだけで、金イオンを含むイオン水を簡便に生成できるイオン水生成器具を提供することである。
また本発明は、皮膚の新陳代謝機能を高め、艶のある皮膚を取り戻すことができるとともに肌荒れのないイオン水を生成することができ、しかも水道水に含まれる塩素を中和し、飲料水としてもマイルドで飲み心地の良いイオン水を生成することができるイオン水生成器具を提供することである。
さらに本発明は、簡単な構成で安価に製造することができ、家庭等においても手軽に使用することができるイオン水生成器具を提供することである。
【課題を解決するための手段】
【０００６】
上記課題を解決するため、本発明のイオン水生成器具で採用した請求項１の手段は、水道管の蛇口に装着されるイオン水生成器具であって、水道水の流路に金含有部材とトルマリンを介装するとともに、流路を通る水道水に磁気を付与する磁気発生手段を設けたことを特徴とする。
【０００７】
トルマリンは電気石とも言われており、マイナスイオンを生成し、遠赤外線を放出することでも知られている。トルマリンは水と接触すると瞬間的に水の分子をマイナスイオン化する特性がある。また、トルマリンに含有するマグネシウム（Ｍｇ）、鉄（Ｆｅ）、ホウ素（Ｂ）、ケイ素（Ｓｉ）などの成分が水に溶出してミネラル分を含んだ美味しい水となり、しかも皮膚の細胞活性化、皮膚の洗浄効果等も期待できる。
【０００８】
金（Ａｕ）は、水（Ｈ2Ｏ）自体には反応しないが、水道水に混入されている塩素（Ｃｌ）と反応し、微量の塩化金（ＡｕＣｌ、ＡｕＣｌ3）が生成される。そして磁気発生手段により塩化金の塩素イオンが分離又は中和され、金イオンが生成されるものと思われる。磁気発生手段では、水道水中に含まれる残留塩素イオンも分離中和される。
【０００９】
請求項１の手段における金含有部材とは、金成分を含有するものであれば純金、合金のいずれでもよい。金含有部材の形状、構成は特に限定されるものではなく、例えば粒状の金を積層させ又はトルマリンと混合してもよい。また、磁気発生手段は水道水の流入口側、流出口側のいずれか一方又は両方に設けてもよく、さらにはトルマリンと金含有部材の近傍に設けても良い。磁気発生手段は電磁石、永久磁石等が必要により選択できる。
【００１０】
本発明の請求項２の手段によれば、前記イオン水生成器具は、前記金含有部材とトルマリンを収納するケース本体部を有しており、該ケース本体部の水道水流出口側に前記磁気発生手段を設けたことを特徴とする。水道水流出側に磁気発生手段を設けると、金含有部材で反応生成された塩化金の塩素イオンの分離中和、水道水に含まれる各種イオン分離除去等を効率的に行うことができる。
【００１１】
本発明の請求項３の手段によれば、前記イオン水生成器具は、水道水流入口部を有する上部ケース部と、水道水流出口部を有する下部ケース部を有しており、これら上部ケース部と下部ケース部を固定するとともに、前記上部ケース部の底部に通水性の金含有部材を装着し、該金含有部材の上部に前記トルマリンを装填したことを特徴とする。
【００１２】
このようにすれば、トルマリンと金含有部材をコンパクトに器具内に収納することができ、器具の組立も簡単である。ここで通水性の金含有部材は、例えばメッシュ形状、多孔形状、積層形状等を含んでいる。
【００１３】
本発明の請求項４の手段によれば、前記下部ケース部の水道水流出部に水道水流出管を装着するとともに、該水道水流出管の外部に磁気発生手段を設けたことを特徴とする。このようにすれば、水道水流出管の外側から水道水に磁気を付与することができ、磁気発生手段の交換や器具全体のコンパクト化が可能である。
【００１４】
本発明の請求項５の手段によれば、前記金含有部材は、多数の孔を形成した金製板体であることを特徴とする。板体形状は円板、四角板等装着する器具の内部形状に対応したものとする。このようにすると、金含有部材はトルマリンの支持部材になるとともに、金含有部材が邪魔板になって水道水が一時的に滞留し、金含有部材との接触効率が良くなる。
【００１５】
本発明の請求項６の手段によれば、前記金含有部材は純金製であることを特徴とする。金の純度が高いほど金イオンの発生効率も良くなる。ここで純金とは、例えば金純度が９０％以上のものであるが、これに限定されるものではない。
【００１６】
本発明の請求項７の手段によれば、前記金含有部材は下地材に金箔を貼着したものであることを特徴とする。下地材としては、金属材、プラスチック材、ゴム材、木材等、金箔を貼着できるものであればよい。このようにすれば、金の使用量が少ないため経済的である。
【００１７】
本発明の請求項８の手段によれば、前記磁気発生手段は永久磁石であることを特徴とする。永久磁石は安価に入手することができ装着も簡単である。
【発明の効果】
【００１８】
本発明のイオン水生成器具によれば、水道管の蛇口に簡易に装着するだけで、金イオンを含むイオン水を簡便に生成できる。
また本発明のイオン水生成器具によれば、皮膚の新陳代謝機能を高め、艶のある皮膚を取り戻すことができ、肌荒れのないイオン水を生成することができる。また水道水に含まれる塩素を中和し、飲料水としてもマイルドで飲み心地の良いイオン水を生成することができる。
さらに本発明のイオン水生成器具によれば、簡単な構成で安価に製造することができ、家庭等においても手軽に使用することができる、等の効果が得られる。
【発明を実施するための最良の形態】
【００１９】
以下、本発明の実施形態を添付図面により説明する。図１に示すように、本発明のイオン水生成器具１は、ケース本体部２と、水道水流入管３と、水道管流出口４と、一対の永久磁石５，５を有しており、水道管流入管３には水道管蛇口との接続管６が接続されている。
【００２０】
ケース本体部２は、図２及び図３に示すように、上部ケース部２ａと下部ケース部２ｂからなっており、これら上部ケース部２ａと下部ケース部２ｂは互いに気密に嵌合され、必要によりシール材等で固着される。また、図３に示すように上部ケース部２ａには水道水流入口部２ｃが開口され、下部ケース部２ｂには水道水流出口部２ｄが開口されている。そして、水道水流入口部２ｃには水道水流入管３が接続され、水道水流出口部２ｄには水道水流出管４が接続されている。
【００２１】
ケース本体部２の上部ケース部２ａの底部には円盤状の金含有部材７が装着されている。この金含有部材７は、ここでは厚さが０．３ｍｍ〜２ｍｍ程度の純金製であり、１．５ｍｍ〜２ｍｍ程度の多数の小孔７ａが形成されている。また、金含有部材７の上部には粒塊状のトルマリン８が多数装填されている。
【００２２】
水道水流出管４の外部には一対の永久磁石５，５が固定されている。ここでは接着剤で固定されているが、クリップ機構で挟持するようにしても良い。永久磁石５，５は上述したイオン分離作用が得られるような磁力を有するものが選択され、ここでは８００ガウスの永久磁石を使用している。
【００２３】
なお、この実施態様ではケース本体２、水道水流入管３及び水道水流出管４はポリカーボネイト、ポリプロピレン等の硬質プラスチックで造られており、接続管６は軟質プラスチックで造られている。
【００２４】
上述したイオン水生成器具１を使用するときは、図１に示す接続管６を水道管の蛇口に差し込み、蛇口を開放すると、水道水はケース本体部２を通って水道水流出管４から流出する。ケース本体部２を通過する際、水道水は内部収納されたトルマリン８と金含有部材７に接触し、上述したように水道水をマイナスイオン化するとともに、微量の塩化金を溶出する。また、水道水流出管４を通過する際、永久磁石５，５により、塩化金の塩素イオンの分離中和化、水道水中に含まれる残留塩素イオンの除去等が行われる。
【００２５】
このようなイオン水生成器具１を通過した水道水は、金イオンを含有するとともにマイナスイオン化されており、水道水中の塩素が中和されている。本発明者が長期間継続してこの水道水により手洗い、洗顔等を続けたところ、艶のある素肌となり、血行も良くなった。また飲料水としても、まろやかで喉越しの良い水となった。さらに浴槽水と使用した場合、浴槽中の湯垢の発生が抑えられた。
【図面の簡単な説明】
【００２６】
【図１】本発明のイオン水生成器具の斜視図である。
【図２】同じく本発明のイオン水生成器具の分解斜視図である。
【図３】ケース本体部の断面図である。
【図４】磁気発生手段の正面図である。
【図５】磁気発生手段の側面図である。
【符号の説明】
【００２７】
１はイオン水生成器具
２はケース本体部
２ａは上部ケース部
２ｂは下部ケース部
２ｃは水道水流入口部
２ｄは水道水流出口部
３は水道水流入管
４は水道水流出管
５，５は永久磁石
６は接続管
７は金含有部材
７ａは小孔
８はトルマリン
【図１】
2007283162.tif 000003
【図２】
2007283162.tif 000004
【図３】
2007283162.tif 000005
【図４】
2007283162.tif 000006
【図５】
2007283162.tif 000007